【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
互いに平行に配置された複数の喫煙品を収容するための第１の容器（１２）を含み、この容器は、喫煙品の長手方向軸に平行な方向に喫煙品を分出することができる第１端部に位置する開口部（２４）と、この第１端部に対向する容器の第２端部の内側に位置する回転自在なフラップ（３８）とを有し、このフラップは、回転させると少なくとも１本の紙巻きタバコの一端と接触し、その喫煙品を開口部を介して強制的に移動させる喫煙品用のパック（１０）において、
前記パックはさらに互いに平行に配置された複数の喫煙品を収容するための第２の容器（１４）を含み、この第２容器は、喫煙品をその長手方向軸に平行な方向に沿って分出する第１端部に設けられた開口部（２４）を有し、
さらに前記第２容器は、第１容器とそれらの第２端部でヒンジ（２６）によって互いに回転自在に連結され、
第１容器の回転自在なフラップ（３８）は、第２容器まで延び、かつ、第１容器の内側に配置され、第１容器内の少なくとも１本の喫煙品の一端と接触するための内部部分（４０）と、第２容器と一体または第２容器に固定された外部部分（４２）とを含み、
ヒンジを中心に第１容器と第２容器とを互いに離れるように回転させることによって、回転自在なフラップを回転させ、これにより第１容器内の少なくとも１本の喫煙品を第１容器の開口部を介して強制的に移動させることを特徴とする喫煙品用パック。
【請求項２】
前記第２容器が第２容器の第一端部に対向する第２端部の内側に位置する回転自在なフラップ（３８）を含み、このフラップは、回転すると第２容器内の少なくとも１本の喫煙品の端部と接触し、その少なくとも１本の喫煙品を開口部を介して強制的に移動させ、
この第２容器の回転自在なフラップは、第１容器まで延び、第２容器内の少なくとも１本の喫煙品の一端と接触するために第２容器の内側に配された内部部分（４０）と、第１容器と一体またはこれに固定された外部部分（４２）とを含み、
第１容器と第２容器とを互いに離れるようにヒンジを中心に回転させると第２容器の回転自在なフラップが回転し、第２容器内のその少なくとも１本の喫煙品を第２容器の開口部を介して強制的に移動させることを特徴とする請求項１記載の喫煙品用パック。
【請求項３】
前記回転自在なフラップの内部部分（４０）と外部部分（４２）が同一面にあることを特徴とする請求項１または２記載の喫煙品用パック。
【請求項４】
回転自在なフラップは、第１および第２容器が互いに対して回転してない状態においてこれら容器の底壁と平行であることを特徴とする請求項３記載の喫煙品用パック。
【請求項５】
前記容器の両方の開口部を覆うように構成された蓋（３０）を含むことを特徴とする請求項１乃至４いずれか１項記載の喫煙品用パック。
【請求項６】
前記蓋が前記容器の１つにヒンジ式に取り付けられていることを特徴とする請求項５記載の喫煙品用パック。
【請求項７】
前記回転自在なフラップ（３８）が容器に収容されている全ての喫煙品の端部と接触するように構成されていることを特徴とする請求項１乃至６いずれか１項記載の喫煙品用パック。
【請求項８】
前記回転自在なフラップ（３８）が容器に収容できる喫煙品の最大数より少ない数の喫煙品の端部と接触するように構成されていることを特徴とする請求項１乃至７いずれか１項記載の喫煙品用パック。
【請求項９】
１つ以上の折り曲げ可能なブランクから作製されることを特徴とする請求項１乃至８いずれか１項記載の喫煙品用パック。
【請求項１０】
前記容器がそれぞれ底壁およびこの底壁から実質的に直角に延びた４つの側壁によって形成された平行六面体形状であることを特徴とする請求項１乃至９いずれか１項記載の喫煙品用パック。
【請求項１１】
前記第１および第２容器が紙巻きタバコで満たされていることを特徴とする請求項１乃至１０いずれか１項記載の喫煙品用パック。
【請求項１２】
一列以上に配置された複数の喫煙品パック（１２２）を収容するための第１の容器（１１２）を含み、この容器はその第一端部に開口部を有し、この開口部を介してパックが列に対して実質的に垂直の方向に取り出され、回転自在なフラップ（１４０）が第１端部に対向する容器の第２端部の内側に位置し、このフラップを回転させるとフラップは、少なくとも１つのパックの端部と接触し、その少なくとも１つのパックを開口部を介して強制的に移動させる喫煙品パック用のカートン（１０１）において、
前記カートンはさらに一列以上に配置された複数の喫煙品パックを収容するための第２容器（１１４）を含み、この第２容器は第１端部に開口部を有し、この開口部を介してパックが列に対して実質的に垂直の方向に分出され、
第２容器（１１４）は、第１容器とそれらの第２端部でヒンジ（１２６）によって回転自在に連結されており、
第１容器の回転自在なフラップ（１４０）は、第２容器まで延び、第１容器内の少なくとも１つのパックの一端と接触するための第１容器の内側に配された内部部分と第２容器（１１４）と一体であるまたは第２容器に固定された外部部分とを含み、
第２容器（１１４）は第１端部に対向する第２容器の第２端部の内側に配置された回転自在なフラップ（１４０）を含み、この回転自在なフラップは、これを回転させると第２容器内の少なくとも１つのパックの端部と接触し、その少なくとも１つのパックを開口部を介して強制的に移動させ、第２容器の回転自在なフラップは、第１容器まで延び、第２容器内の少なくとも１つのパックの一端と接触するための第２容器の内側に配された内部部分と第１容器と一体であるまたは第１容器に固定された外部部分とを含み、
ヒンジ（１２６）を中心に第１容器（１１２）と第２容器（１１４）とを互いに離れるように回転させると回転自在なフラップ（１４０）が回転し、第１容器内の少なくとも１つのパック（１２２）を第１容器（１１２）の開口部を介して、そして第２容器（１１４）内の少なくとも１つのパックを第２容器の開口部を介して強制的に移動させることを特徴とするカートン。
【請求項１３】
第１容器ブランク（１４４）と第２容器ブランク（１６２）とを含み、
第１容器ブランク（１４４）は、底部パネル（１４７）と、この底部パネルと長手方向軸が直交するように配置された複数の喫煙品のための第１容器を形成するためにこの底部パネル（１４７）の周囲で直立させることができる４つの側部パネルと、底部パネルに設けられた開口部（１９０）とを含み、開口部は底部パネル（１４７）の一縁部と一致する少なくとも１つの縁部を有し、
第２容器ブランク（１６２）は、底部パネル（１６５）と、この底部パネルと長手方向軸が直交するように配置された複数の喫煙品のための第２容器を形成するためにこの底部パネル（１６５）の周囲で直立させることができる４つの側部パネル（１６４）と、フラップ（１９２）とを含み、このフラップは底部パネル（１６５）とこの底部パネルから延びた１つの側部パネル（１６４）からこの側部パネルが延びている縁部に対向する底部パネルの縁部に位置する２つのポイント（１９３、１９４）間を延びている周囲に沿って切り抜かれたものであり、
フラップ（１９２）と開口部（１９０）は、フラップ（１９２）を有する側部パネル（１６４）に対向する第２容器ブランク（１６２）の側部パネル（１６３）が縁部に隣接する開口部（１９０）を有する第１容器ブランクの１つの側部パネルと向かい合うようにブランクを組み立てた際に位置合わせされるように配置されることを特徴とする喫煙品パック用ブランク集合体。
【請求項１４】
前記フラップ（１９２）は、開口部（１９０）がその関連する底部パネルの縁部から延びている距離より短い距離でフラップの関連する底部パネル（１６５）の縁部から延びていることを特徴とする請求項１３記載の喫煙品パック用ブランク集合体。
【請求項１５】
前記フラップは、その関連する底部パネル（１６５）の縁部に平行な折り曲げ線（１９５）を有し、フラップをこの折り曲げ線に沿って折り曲げた際に開口部がその関連する底部パネル（１６５）の縁部から延びている距離より短い関連する底部パネルの縁部からの寸法をフラップが有するような距離で関連する底部パネルの縁部から延びていることを特徴とする請求項１３記載の喫煙品パック用ブランク集合体。